(57)【特許請求の範囲】
【請求項１】
作業者の足場板部分となる天板部の両端に、一対の伸縮可能な脚部を、連結部材を介して折曲可能となるよう連結せしめた作業足場台において、
上記脚部は外脚部材とこの外脚部材内を摺動自在な内脚部材とで伸縮自在に構成されると共に、上記内脚部材には長手方向に延びる凹部を有し、
上記脚部に内脚部材を外脚部材の所望位置で停止できるようにしたロック機構が形成され、
該ロック機構は外脚部材及び内脚部材の上記凹部にそれぞれ長手方向に間隔を置いて設けられた複数のロック用貫通穴と、そのロック用貫通穴に先端が挿通されるピン部材と、外脚部材に設けられ、ピン部材を駆動する駆動手段とからなり、
上記駆動手段は外脚部材に回動自在に設けられ、ピン部材をロック用貫通穴に対して出入り自在に駆動する回動レバ−と、ピン部材をロック用貫通穴に向けて常時付勢するバネ部材とからなり、
上記ピン部材が外脚部材と内脚部材とのロック用貫通穴を貫通したときには、外脚部材と内脚部材とがロックされ、上記回動レバーが回動されて上記ピン部材の先端が凹部内に位置したときには、外脚部材に対して内脚部材を可動させることができることを特徴とする作業足場台。
【請求項２】
上記外脚部材にカバ−が取り付けられ、そのカバ−内に上記回動レバ−の操作部と上記ピン部材及びバネ部材が配置され、そのカバ−に回動レバ−の操作部を操作可能とする操作用穴が設けられていることを特徴とする請求項１記載の作業足場台。
【請求項３】
作業者の足場板部分となる天板部の両端に、一対の伸縮可能な脚部を、連結部材を介して折曲可能となるよう連結せしめ、天板部と脚部とが所定角度で維持される状態を補助するためのブレ−スを備えた作業足場台において、上記ブレ−スは２つのハ−フブレ−ス本体とからなり、一方のハ−フブレ−ス本体の一端は天板部に回動自在に装着され、他方のハ−フブレ−ス本体の一端は脚部に回動自在に装着され、これら２つのハ−フブレ−ス本体の他端は枢着され、２つのハ−フブレ−ス本体の他端側にこれらハ−フブレ−ス本体が真直ぐ水平状態になったときに水平状態を維持するようにしたロック機構が形成され、
上記ロック機構は、一方のハ−フブレ−ス本体の他端側に設けられた係止部材と、他方のハ−フブレ−ス本体の他端側に回動自在に設けられ、２つのハ−フブレ−ス本体が真直ぐ水平状態になったときに上記係止部材に係合する係止鉤部を一端側に形成したブレ−スストッパ−と、ブレ−スストッパ−の係止鉤部が形成された一端側を上記係止部材に向けて常時付勢するバネ部材ばねとからなることを特徴とする作業足場台。
【請求項４】
上記ロック機構は、一方のハ−フブレ−ス本体の他端側に形成された相対向する一対の連結片の間に出入り自在な係止ピンと、一方のハ−フブレ−ス本体の他端側に設けられ、該係止ピンを可動させるブレ−スストッパ−と、他方のハ−フブレ−ス本体の他端側に設けられ、２つのハ−フブレ−ス本体が真直ぐ水平状態になったときに上記一対の連結片の間に入り込んでいる上記係止ピンに係合する係止鉤部が形成された回動片と、上記ブレ−スストッパ−を係止ピンが上記一対の連結片の間に入るよう常時付勢するバネ部材ばねとからなることを特徴とする請求項３に記載の作業足場台。
【請求項５】
作業者の足場板部分となる天板部の両端に、一対の伸縮可能な脚部を、連結部材を介して折曲可能となるよう連結せしめた作業足場台において、上記天板部は可撓性を有していることを特徴とする請求項１乃至４の何れか一つに記載の作業足場台。
【発明の詳細な説明】
【０００１】
【発明の属する技術分野】
本発明は、主に、建築工事現場において室内高所等での作業を行うための作業足場台に関するものである。
【０００２】
【従来の技術】
従来、この種の作業足場台としては種々のものが提供されており、例えば、現在市場で使用されているあアルミ合金製の可搬式の作業足場台は、その脚部が外管と外管内を摺動する外管とで構成され、その中の多くは内管に刻まれた凹凸部の所望位置に外管に取り付けられたストッパ−が作用して外管がロックされ、脚部の伸縮をある程度の寸法で調整していた。
【０００３】
また、脚部の使用時には開脚するが、長手方向に作用する水平荷重に対抗するために、天板から脚部の外管にブレ−スを取り付ける。そのブレ−スは天板の側部にセットされ、開脚時に予め取り付け可能な位置に取り付けられた外管のピンに差し込み、ブレ−スとして作用させる。
【０００４】
【発明が解決しようとする課題】
しかしながら、外管に取り付けられたストッパ−を内管に刻まれた凹凸部に係合させて脚部の伸縮を調整するようにしたものは、現場での作業状況により、内管に刻まれた凹凸部にコンクリ−トのノロ等が付着してストッパ−が作用しなくなり、脚部を使用したい寸法で使用できず、またそのノロ等の付着を落とす作業には大変な手間がかかり、さらにストッパ−が内管に刻まれた凹凸部に係合する部分が外観から見えないために、確実に外管がロックされているかどうかが分からないという問題点があった。
【０００５】
また、天板と脚部の外管とにブレ−スを取り付けるようにしたものは、開脚後に別作業でブレ−スをセットしなければならないため、セット忘れやセットが面倒なため、ブレ−スをセットしないことが度々あり、ブレ−スがないために脚部とブレ−スのヒンジ部分に予想以上の荷重が加わり、ヒンジ部分を壊してしまったり、また作業足場台全体がねじれ、天板と脚部の接合部にガタが早くくるという問題点があった。
【０００６】
そこで、本発明は、天板部の両端に連結部材を介して折曲可能となるよう連結された一対の伸縮可能な脚部の外脚部材と内脚部材とをロックでき、しかも外観を目視できるロック機構を備え、ブレ−スは脚部を開脚した時にセットされ、ブレ−スとしての機能が発揮できるようにした作業足場台を提供することを課題としている。
【０００７】
【課題を解決するための手段】
かかる目的を達成するために、請求項１に記載の発明に係る作業用足場は、作業者の足場板部分となる天板部の両端に、一対の伸縮可能な脚部を、連結部材を介して折曲可能となるよう連結せしめた作業足場台において、上記脚部は外脚部材とこの外脚部材内を摺動自在な内脚部材とで伸縮自在に構成されると共に、上記内脚部材には長手方向に延びる凹部を有し、上記脚部に内脚部材を外脚部材の所望位置で停止できるようにしたロック機構が形成され、該ロック機構は外脚部材及び内脚部材の上記凹部にそれぞれ長手方向に間隔を置いて設けられた複数のロック用貫通穴と、そのロック用貫通穴に先端が挿通されるピン部材と、外脚部材に設けられ、ピン部材を駆動する駆動手段とからなり、上記駆動手段は外脚部材に回動自在に設けられ、ピン部材をロック用貫通穴に対して出入り自在に駆動する回動レバ−と、ピン部材をロック用貫通穴に向けて常時付勢するバネ部材とからなり、上記ピン部材が外脚部材と内脚部材とのロック用貫通穴を貫通したときには、外脚部材と内脚部材とがロックされ、上記回動レバーが回動されて上記ピン部材の先端が凹部内に位置したときには、外脚部材に対して内脚部材を可動させることができることを特徴とする作業足場台。
【０００９】
請求項２に記載の発明は、請求項１記載の構成に加え、上記外脚部材にカバ−が取り付けられ、そのカバ−内に上記回動レバ−の操作部と上記ピン部材及びバネ部材が配置され、そのカバ−に回動レバ−の操作部を操作可能とする操作用穴が設けられていることを特徴とする。
【００１０】
請求項３に記載の発明は、作業者の足場板部分となる天板部の両端に、一対の伸縮可能な脚部を、連結部材を介して折曲可能となるよう連結せしめ、天板部と脚部とが所定角度で維持される状態を補助するためのブレ−スを備えた作業足場台において、上記ブレ−スは２つのハ−フブレ−ス本体とからなり、一方のハ−フブレ−ス本体の一端は天板部に回動自在に装着され、他方のハ−フブレ−ス本体の一端は脚部に回動自在に装着され、これら２つのハ−フブレ−ス本体の他端は枢着され、２つのハ−フブレ−ス本体の他端側にこれらハ−フブレ−ス本体が真直ぐ水平状態になったときに水平状態を維持するようにしたロック機構が形成され、上記ロック機構は、一方のハ−フブレ−ス本体の他端側に設けられた係止部材と、他方のハ−フブレ−ス本体の他端側に回動自在に設けられ、２つのハ−フブレ−ス本体が真直ぐ水平状態になったときに上記係止部材に係合する係止鉤部を一端側に形成したブレ−スストッパ−と、ブレ−スストッパ−の係止鉤部が形成された一端側を上記係止部材に向けて常時付勢するバネ部材ばねとからなることを特徴とする。
【００１２】
請求項４に記載の発明は、請求項３に記載の構成に加え、上記ロック機構は、一方のハ−フブレ−ス本体の他端側に形成された相対向する一対の連結片の間に出入り自在な係止ピンと、一方のハ−フブレ−ス本体の他端側に設けられ、該係止ピンを可動させるブレ−スストッパ−と、他方のハ−フブレ−ス本体の他端側に設けられ、２つのハ−フブレ−ス本体が真直ぐ水平状態になったときに上記一対の連結片の間に入り込んでいる上記係止ピンに係合する係止鉤部が形成された回動片と、上記ブレ−スストッパ−を係止ピンが上記一対の連結片の間に入るよう常時付勢するバネ部材ばねとからなることを特徴とする。
【００１３】
請求項５に記載の発明は、請求項１乃至４の何れか一つに記載の構成に加え、作業者の足場板部分となる天板部の両端に、一対の伸縮可能な脚部を、連結部材を介して折曲可能となるよう連結せしめた作業足場台において、上記天板部は可撓性を有していることを特徴とする。
【００１４】
【発明の実施の形態】
以下、この発明の実施の形態について説明する。
【００１５】
［発明の実施の形態１］
図１は本発明の実施の形態１に係る作業足場台を例示する正面図、図２は同作業足場台を例示する側面図、図３は同作業足場台を例示する平面図、図４は図３のＡ−Ａ断面図、図５は同作業足場台のロック機構により脚部伸縮時を例示する一部省略縦断面図、図６は同作業足場台のロック機構により脚部伸縮時を例示する一部省略横断面図、図７は同作業足場台のロック機構により脚部固定時を例示する一部省略縦断面図、図８は同作業足場台のロック機構により脚部固定時を例示する一部省略横断面図である。
【００１６】
図において、Ｓは主に、建築工事現場において室内高所等での作業を行うための本発明の作業足場台を示し、この作業足場台Ｓは、作業者の足場板部分となる適宜金属製の天板部１の長手方向の両端縁に、連結部３を介して一対の伸縮可能な脚部２を折曲可能に連結せしめて、左右の脚部２を折り畳み自在なるように構成されている。
【００１７】
更に、この作業足場台Ｓは、脚部２を、略断面楕円形の管材で構成される外脚部材４と、この外脚部材４内を摺動自在な略断面楕円形の管材で内側に凹部５ａを有して構成される内脚部材５とで伸縮自在に構成し、しかも内脚部材５を外脚部材４の所望位置で停止できるようにしたロック機構６が形成されている。そのロック機構６の詳細な構成は後述する。
【００１８】
この作業足場台Ｓの天板部１は可撓性を有し所定の強度を有する例えば樹脂材料（勿論金属製でも良い）で形成されている。この天板部１はその両側上縁と中央にそれぞれリブ１ａが設けられると共に、滑り止め機能等を発揮する多数の貫通孔１ｂが形成されている。ここでの「可撓性を有し所定の強度を有する」とは、人が天板部１に乗ったときに変形するが、破壊しないような強度を有すると言うことである。
【００１９】
このように、天板部１を可撓性を有する材料で形成したのは、一対の脚部２の足場が多少傾斜していたり、多少の段差がある場合に、一対の脚部２の脚長が同じで、天板部１が剛体であれば、作業足場台Ｓはガタつくが、天板部１に可撓性を持たせれば撓んで変形することにより、作業足場台Ｓがガタつくのを防止するためである。
【００２０】
作業足場台Ｓの一対の脚部２は、その使用時には天板部１に対して正面略ハ字状に開き（図１参照）、その不使用時には天板部１の下面に重なるように折り畳まれる。そして、脚部２は側面略ハ字状に配置される一対の外脚部材４相互を複数の踏み桟７で連結すると共に、外脚部材４内に内脚部材５を夫々摺動自在に装着するようにして構成されている。
【００２１】
また、天板部１と脚部２には天板部１と脚部２を所定角度で維持される状態を補助するためのブレ−ス８が連結されている。このブレ−ス８は枢着された２つのハ−フブレ−ス本体８ａ，８ｂとからなり、これらハ−フブレ−ス本体８ａ，８ｂが真直ぐ水平状態になったときに水平状態を維持するようにしたロック機構９が形成されている。そのロック機構９の詳細な構成は後述する。
【００２２】
脚部２のロック機構６は外脚部材４及び内脚部材５にそれぞれ長手方向に間隔を置いて設けられた複数のロック用貫通穴１１ａ，１１ｂと、そのロック用貫通穴１１ａ，１１ｂに先端が挿通されるピン部材１２と、外脚部材４に連結された踏み桟７に回動自在に設けられ、ピン部材１２をロック用貫通穴１１ａに対して出入り自在に駆動する回動レバ−１３と、ピン部材１２をロック用貫通穴１１ａ，１１ｂに向けて常時付勢するバネ部材である伸長コイルスプリング１４とで構成されている。この回動レバ−１３と伸長コイルスプリング１４とでピン部材１２を駆動する駆動手段が構成される。
【００２３】
ロック用貫通穴１１ａは外脚部材４にその長手方向に所定間隔を置いて複数設けられており、ロック用貫通穴１１ｂも内脚部材５にその長手方向にロック用貫通穴１１ａと同様の間隔をを置いて複数設けられている。なお、ロック用貫通穴１１ｂは内脚部材５に設けられた凹部５ａに形成されている。
【００２４】
また、ピン部材１２は外脚部材４にボルト１５で踏み桟７に載置された状態で取り付けられた略Ｕ字状の取付金具１６に可動自在に装着され、回動レバ−１３は踏み桟７に枢支ピン１３ｄで回動自在に取り付けられている。その回動レバ−１３の先端側に形成された係合溝１３ａにピン部材１２の先端側に設けられた係止ピン１２ａが係合させられており、回動レバ−１３を回動させることにより、ピン部材１２が取付金具１６に対して進退動し、外脚部材４及び内脚部材５のロック用貫通穴１１ａ，１１ｂに出入りする。
【００２５】
そのピン部材１２には伸長コイルスプリング１４が挿通されており、その伸長コイルスプリング１４の一端は取付金具１６に固定され、その他端はピン部材１２に固定されてピン部材１２をロック用貫通穴１１ａ，１１ｂに向けて常時付勢している。
【００２６】
１７は外脚部材４と踏み桟７とに端部が固定されたカバ−で、ピン部材１２と伸長コイルスプリング１４と取付金具１６と回動レバ−１３の一部を覆っている。
【００２７】
次に、本発明の実施の形態１の作業足場台の脚部の伸縮について説明する。
【００２８】
作業足場台を使用する際には、一対の脚部２を天板部１に対して図１に示すように正面略ハ字状に開いて設置場所に設置する。このとき、設置場所に段差があるときは天板部１を水平にするために、一対の脚部２の脚長を調整する必要がある。
【００２９】
そこで、例えば、図１に示す右側の脚部２の脚長を短くする場合、外脚部材４を内脚部材５内に挿入して脚長を短くしていき、望んだ脚長で外脚部材４のロック用貫通穴１１ａに内脚部材５のロック用貫通穴１１ｂが整合したときに、図７及び図８に示すように伸長コイルスプリング１４によって付勢されたピン部材１２がロック用貫通穴１１ａ，１１ｂを貫通し、外脚部材４と内脚部材５がロックされ、脚部２の脚長が短く調整されることになる。
【００３０】
また、その設置場所での作業が終わり、次の設置場所で脚部２の脚長を調整する必要があるときには、回動レバ−１３を回動操作して図５及び図６に示すようにピン部材１２をロック用貫通穴１１ａ，１１ｂから抜けるように可動させれば、外脚部材４に対して内脚部材５を可動させることができ、脚部２の脚長を適宜に調整することができ、前述と同様に望んだ脚長で外脚部材４のロック用貫通穴１１ａに内脚部材５のロック用貫通穴１１ｂが整合したときに、ピン部材１２によって外脚部材４と内脚部材５がロックされ、脚部２の脚長が短く調整される。
【００３１】
上述したように、ピン部材１２が外脚部材４と内脚部材５とに設けられたロック用貫通穴１１ａ，１１ｂを貫通することにより、確実に外脚部材４と内脚部材５がロックされ、ロック用貫通穴１１ａ，１１ｂを貫通したピン部材１２の先端が外脚部材４から飛び出すことにより、そのピン部材１２の先端を目視することで、ロックしている状態を確認することができ、安心して作業台上の作業が行える。
【００３２】
また、ピン部材１２のストロ−クを最少限にするために、ロック用貫通穴１１ｂは内脚部材５に設けられた凹部５ａに形成されているため、ピン部材１２の先端が凹部５ａ内に位置するときには外脚部材４に対して内脚部材５を可動させることができ、ピン部材１２を可動させる回動レバ−１３の移動量が少なくて済み、作業時間の短縮ができる。
【００３３】
さらに、外脚部材４と踏み桟７とに端部が固定されたカバ−１７で、ピン部材１２と伸長コイルスプリング１４と取付金具１６と回動レバ−１３の一部を覆っているから、ロック機構９の大部分がカバ−１７内に収納され、見栄えがよい。
【００３４】
図９は同作業足場台のもう一つのロック機構により脚部固定時を例示する一部省略縦断面図である。
【００３５】
図９に示すロック機構６は図５から図７のロック機構６の変形例で、図５等の実施例と相違する構成は、ピン部材１２と伸長コイルスプリング１４と取付金具１６と回動レバ−１３の一部が踏み桟７の下方に設けられ、回動レバ−１３の操作部分が踏み桟７の上方に設けられ、その操作部分だけがカバ−１７で覆われ、そのカバ−１７に操作用穴１７ａが設けられていることである。
【００３６】
この変形例は、基本的な構成と動作は図５等の実施例と同様で、ロック機構９のロックを解除する際に、カバ−１７の操作用穴１７ａに指を入れ、回動レバ−１３の操作部分を脚部２の方に引くようにしたもので、カバ−１７で回動レバ−１３の操作部分が覆われているため、ロック機構９のロックを解除する回動レバ−１３の誤操作がされにくいものである。
【００３７】
図１０は同作業足場台のさらにもう一つのロック機構により脚部固定時を例示する一部省略縦断面図、図１１は同作業足場台のさらにもう一つのロック機構のカバ−を取り除いた状態を別の角度から例示する一部省略側面図である。
【００３８】
図１０、１１に示すロック機構６は図５から図７のロック機構６のもう一つの変形例で、図５等の実施例と相違する構成は、回動レバ−１３が踏み桟７の上方に設けられ、踏み桟７の上方に設けられたカバ−１７に回動レバ−１３の全体とピン部材１２が覆われていることと、さらに回動レバ−１３がカバ−１７に設けられた枢着ピン１７ａに回動自在に取り付けられ、その回動レバ−１３の先端側に設けられた係合長孔１３ｂにピン部材１２の係止ピン１２ａが係合され、枢着ピン１７ａに巻き付けられた巻きバネ１４ａが回動レバ−１３を脚部２に向けて常時付勢し、ピン部材１２を外脚部材４と内脚部材５とに設けられたロック用貫通穴１１ａ，１１ｂに貫通させるようにしていることと、カバ−１７に回動レバ−１３の中央部分が操作できる操作用穴１７ａが設けられていることである。
【００３９】
この変形例は、基本的な構成と動作は図５等のの実施例と同様で、ロック機構９のロックを解除する際に、カバ−１７の操作用穴１７ａに指を入れ、回動レバ−１３の操作部分を脚部２と反対の方向に引くようにしたもので、カバ−１７で回動レバ−１３の全体が覆われているため、ロック機構９のロックを解除する回動レバ−１３の誤操作がされにくいものである。
【００４０】
図１２は同作業足場台のブレ−スをロック機構により水平にロックした状態を例示する一部省略側面図、図１３は図１２のＢ−Ｂ線断面図である。
【００４１】
図において、このブレ−ス８は２つのブレ−ス本体８ａと８ｂとからなり、一方のハ−フブレ−ス本体８ａの一端は天板部１に回動自在に装着され、他方のハ−フブレ−ス本体８ｂの一端は脚部２に回動自在に装着されている。これら２つのハ−フブレ−ス本体８ａ、８ｂの他端にはブレ−スヒンジ金具２０がビス２１でそれぞれ取り付けられ、これらブレ−スヒンジ金具２０によって２つのハ−フブレ−ス本体８ａ、８ｂの他端下側が枢着されている。
【００４２】
そして、これら２つのハ−フブレ−ス本体８ａ、８ｂにはこれらハ−フブレ−ス本体が真直ぐ水平状態になったときに水平状態を維持するようにしたロック機構９が前述したように形成されている。
【００４３】
このロック機構９は一方のハ−フブレ−ス本体８ａの他端側のブレ−スヒンジ金具２０の両側面に設けられた係止部材である係止ピン２２と、他方のハ−フブレ−ス本体８ｂの他端側のブレ−スヒンジ金具２０に回動自在に設けられ、２つのハ−フブレ−ス本体８ａ、８ｂが真直ぐ水平状態になったときに係止ピン２２に係合する係止鉤穴部２４を一端両側にそれぞれ形成した断面コ字状のブレ−スストッパ−２３と、ブレ−スストッパ−２３の係止鉤部２４が形成された一端側を係止ピン２２に向けて常時付勢する板バネ２５とで構成されている。
【００４４】
なお、板バネ２５はハ−フブレ−ス本体８ｂの他端側のブレ−スヒンジ金具２０の上面に一端が固定されており、その他端がブレ−スストッパ−２３の他端側を常時上方に押し上げ、ブレ−スストッパ−２３の一端側を係止ピン２２に向けて付勢するようにしている。
【００４５】
次に、本発明の実施の形態１の作業足場台のブレ−スが水平状態にロックされる場合について説明する。
【００４６】
作業足場台Ｓを使用する際には、一対の脚部２を天板部１に対して正面略ハ字状に開く。そうすると、今まで折り畳まれていたブレ−ス８の２つのブレ−ス本体８ａと８ｂは水平状態になり、ハ−フブレ−ス本体８ｂに設けられているブレ−スストッパ−２３の係止鉤穴部２４を有する一端側は板バネ２５によってハ−フブレ−ス本体８ａに設けられている係止ピン２２に向けて付勢されているため、２つのブレ−ス本体８ａと８ｂが水平状態になったときに、ブレ−スストッパ−２３の係止鉤穴部２４が係止ピン２２に係合し、その係合状態は板バネ２５の付勢力によって維持されるため、２つのハ−フブレ−ス本体８ａ、８ｂは水平状態に維持されることになる。
【００４７】
また、その作業足場台Ｓの使用が終わり、天板部１に対して一対の脚部２を折り畳むときには、ブレ−スストッパ−２３の板バネ２５によって押し上げられている他端を板バネ２５の付勢力に抗して押し下げれば、ブレ−スストッパ−２３の係止鉤穴部２４が係止ピン２２から離れて両者の係合が解除されるため、ブレ−スストッパ−２３を押しながら２つのブレ−ス本体８ａと８ｂを折り曲げれば、後は２つのブレ−ス本体８ａと８ｂはブレ−スヒンジ金具２０によって回動自在に枢着されているだけであるから、２つのブレ−ス本体８ａと８ｂは折り畳むことができる。
【００４８】
上述したように、ハ−フブレ−ス本体８ｂに設けられているブレ−スストッパ−２３の係止鉤穴部２４を有する一端側は板バネ２５によってハ−フブレ−ス本体８ａに設けられている係止ピン２２に向けて付勢されているため、一対の脚部２を天板部１に対して正面略ハ字状に開き、折り畳まれていたブレ−ス８の２つのブレ−ス本体８ａと８ｂが水平状態になると、ブレ−スストッパ−２３の係止鉤穴部２４が係止ピン２２に自動的に係合し、その係合状態は板バネ２５の付勢力によって維持されるため、２つのハ−フブレ−ス本体８ａ、８ｂは水平状態に維持されることにより、ブレ−ス８のセット忘れを防止できる。
【００４９】
また、別作業としてブレ−ス８をセットする手間が省け、完全にブレ−ス８がセットできることで脚部２のヒンジ等の連結部３を破壊することがなくなった。また、ブレ−ス８がないことで、足場全体がねじれ、接合部にガタがきて踏み桟７等の脱落等の事故に発展する可能性も少なくなった。
【００５０】
図１４は同作業足場台のブレ−スをもう一つのロック機構により水平にロックした状態を例示する斜視図、図１５は図１４のＣ−Ｃ線断面図である。
【００５１】
図１４、１５に示すロック機構９は図１２、１３のロック機構９のもう一つの変形例で、図１２等の実施例と相違する構成は、２つのハ−フブレ−ス本体８ａ、８ｂがブレ−スヒンジ２０ａで直接枢着されていることと、一方のハ−フブレ−ス本体８ａの上面に図１２の係止ピン２２の代わりに係止穴２２ａが設けられ、他方のハ−フブレ−ス本体８ｂ内にレバ−状のブレ−スストッパ−２３ａが枢着され、その係止穴２２ａにはブレ−スストッパ−２３ａの一端側に設けられた係止鉤部２４ａが係合し、ブレ−スストッパ−２３ａの他端側がハ−フブレ−ス本体８ｂ内に設けられた伸長コイルスプリング２５ａによって押し下げられ、ブレ−スストッパ−２３ａの係止鉤部２４ａがハ−フブレ−ス本体８ａの係止穴２２ａに向けて常時付勢されていること、ブレ−スストッパ−２３ａの他端側の中央部の下縁部がハ−フブレ−ス本体８ｂの下縁から突出して操作部２３ｂとしていることである。
【００５２】
この変形例は、基本的な構成と動作は図１２等のの実施例と同様で、ロック機構９のロックを解除する際に、ブレ−スストッパ−２３ａの伸長コイルスプリング２５ａによって押し下げられているブレ−スストッパ−２３ａの他端側の操作部２３ｂを伸長コイルスプリング２５ａの付勢力に抗して押し上げれば、ブレ−スストッパ−２３ａの係止鉤部２４ａが係止穴２２ａから離れて両者の係合が解除されるため、ブレ−スストッパ−２３ａの操作部２３ｂを押しながら２つのブレ−ス本体８ａと８ｂを折り曲げれば、後は２つのブレ−ス本体８ａと８ｂはブレ−スヒンジ金具２０によって回動自在に枢着されているだけであるから、２つのブレ−ス本体８ａと８ｂは折り畳むことができる。
【００５３】
この変形例は、ロック機構９が２つのハ−フブレ−ス本体８ａ、８ｂ内に収納されているから、ブレ−ス８の幅が小さくて済み、見栄えもよく、スペ−スの無い場所に使いやすい。
【００５４】
図１６は同作業足場台のブレ−スをさらにもう一つのロック機構により水平にロックした状態を例示する斜視図、図１７は同作業足場台のブレ−スを折り曲げた状態を例示する斜視図、図１８は同作業足場台のブレ−スをさらにもう一つのロック機構により水平にロックした状態を例示する断面図である。
【００５５】
図１６、１７、１８に示すロック機構９は図１２、１３のロック機構９のさらにもう一つの変形例である。
【００５６】
この変形例のロック機構９は、ハ−フブレ−ス本体８ｂがブレ−スヒンジピン２０ｂで回動自在に取り付けられたハ−フブレ−ス本体８ａの他端側に形成された相対向する一対の連結片２８の一方の連結片２８を貫通して一対の連結片２８の間に出入り自在な係止ピン２９と、一方のハ−フブレ−ス本体８ａの他端側の側部にリベット３０で略中央部がシ−ソ−状態に取り付けられ、一端側が係止ピン２９に固定されて係止ピン２９を可動させるブレ−スストッパ−３１と、他方のハ−フブレ−ス本体８ｂの他端側に設けられ、２つのハ−フブレ−ス本体８ａ，８ｂが真直ぐ水平状態になったときに一対の連結片２８の間に入り込んでいる係止ピン２９に係合する係合孔３２ｂが形成された回動片３２と、ブレ−スストッパ−３１を係止ピン２９が一対の連結片２８の間に入るよう常時付勢する伸長コイルスプリング３３とで構成されている。
【００５７】
この伸長コイルスプリング３３は、その一端がハ−フブレ−ス本体８ａの一方の側壁内面に固定され、他端がハ−フブレ−ス本体８ａの他方の側壁を貫通してブレ−スストッパ−３１の他端側を外方に押圧し、ブレ−スストッパ−３１の一端側に固定された係止ピン２９を一対の連結片２８の間に入るよう常時付勢している。
【００５８】
この変形例は、折り畳まれていたブレ−ス８の２つのハ−フブレ−ス本体８ａと８ｂが水平状態に近づくと、伸長コイルスプリング３３がブレ−スストッパ−３１の一端側に固定された係止ピン２９を一対の連結片２８の間に入るよう常時付勢されているため、ハーフブレース本体８ｂのテーパ部３２ａを係止ピン２９の先端部が摺動して案内された後、係合孔３２ｂに係止ピン２９が係合し、その係合状態は伸長コイルスプリング３３の付勢力によって維持されるため、２つのハ−フブレ−ス本体８ａ、８ｂは水平状態に維持される。
【００５９】
また、天板部１に対して一対の脚部２を折り畳むときには、ブレ−スストッパ−３１の伸長コイルスプリング３３によって外方に押圧されている他端を板バネ２５の付勢力に抗して内方に押し下げれば、係止ピン２９がブレ−スストッパ−２３の係合孔３２ｂから離れて両者の係合が解除されるため、ブレ−スストッパ−２３を押しながら２つのブレ−ス本体８ａと８ｂを折り曲げれば、後は２つのブレ−ス本体８ａと８ｂは折り畳むことができる。
【００６０】
この変形例のロック機構９はハ−フブレ−ス本体８ａの他端側に形成された相対向する一対の連結片２８にハ−フブレ−ス本体８ｂが回動自在に取り付けられ、そのハ−フブレ−ス本体８ｂに係合孔３２ｂが形成され、ハ−フブレ−ス本体８ａの一対の連結片２８に係止ピン２９が出入りするようにロック機構９が殆ど２つのハ−フブレ−ス本体８ａ、８ｂ内に収納されているから、ブレ−ス８の幅が小さくて済み、見栄えもよく、スペ−スの無い場所に使いやすい。
【００６１】
【発明の効果】
以上説明してきたように、請求項１に記載の発明によれば、作業者の足場板部分となる天板部の両端に折曲可能に連結された一対の伸縮可能な脚部は外脚部材と、この外脚部材内を摺動自在な内脚部材とで伸縮自在に構成されると共に、内脚部材を外脚部材の所望位置で停止できるようにしたロック機構が形成され、該ロック機構は外脚部材及び内脚部材にそれぞれ長手方向に間隔を置いて設けられた複数のロック用貫通穴と、そのロック用貫通穴に先端が挿通されるピン部材と、外脚部材に設けられ、ピン部材を駆動する駆動手段とを備えているので、ピン部材が外脚部材と内脚部材とに設けられたロック用貫通穴を貫通することにより、確実に外脚部材と内脚部材がロックされ、ロック用貫通穴を貫通したピン部材の先端が外脚部材から飛び出すことにより、そのピン部材の先端を目視することで、ロックしている状態を確認することができ、安心して作業台上の作業が行えるという効果がある。
【００６２】
また、上記駆動手段は外脚部材に回動自在に設けられ、ピン部材をロック用貫通穴に対して出入り自在に駆動する回動レバ−と、ピン部材をロック用貫通穴に向けて常時付勢するバネ部材とからなるので、外脚部材と内脚部材とのロック用貫通穴がすれば、バネ部材の付勢力によってピン部材がロック用貫通穴を貫通して外脚部材に内脚部材が自動的にロックされ、またピン部材によって外脚部材と内脚部材がロックされている場合に、バネ部材の付勢力に抗して回動レバ−を操作してピン部材をロック用貫通穴から抜けるように可動させれば、簡単に外脚部材に対して内脚部材を可動させることができという効果がある。
【００６３】
請求項２に記載の発明によれば、請求項１の効果に加え、上記外脚部材にカバ−が取り付けられ、そのカバ−内に上記回動レバ−の操作部と上記ピン部材及びバネ部材が配置され、そのカバ−に回動レバ−を操作可能とする操作用穴が設けられているので、ロック機構の大部分がカバ−内に収納され、見栄えがよく、またロック機構のロックを解除する際に、カバ−の操作用穴に指を入れ、回動レバ−を操作しなければならず、回動レバ−の誤操作がされにくいという効果がある。
【００６４】
請求項３に記載の発明によれば、作業者の足場板部分となる天板部とその天板部の両端に連結された一対の伸縮可能な脚部とが所定角度で維持される状態を補助するためのブレ−スは、上記ブレ−スは２つのハ−フブレ−ス本体とからなり、一方のハ−フブレ−ス本体の一端は天板部に回動自在に装着され、他方のハ−フブレ−ス本体の一端は脚部に回動自在に装着され、これら２つのハ−フブレ−ス本体の他端は枢着され、２つのハ−フブレ−ス本体の他端側にこれらハ−フブレ−ス本体が真直ぐ水平状態になったときに水平状態を維持するようにしたロック機構が形成されているので、２つのブレ−ス本体が水平状態になると、ロック機構が動作して２つのハ−フブレ−ス本体を自動的に水平状態を維持することにより、ブレ−スのセット忘れを防止でき、また、別作業としてブレ−スをセットする手間が省け、完全にブレ−スがセットできることで脚部のヒンジ等の連結部を破壊することがなくなり、またブレ−スがないことで、足場全体がねじれ、接合部にガタがきて踏み桟等の脱落等の事故に発展する可能性も少なくなるという効果を有する。
【００６５】
また、上記ロック機構は、一方のハ−フブレ−ス本体の他端側に設けられた係止部材と、他方のハ−フブレ−ス本体の他端側に回動自在に設けられ、２つのハ−フブレ−ス本体が真直ぐ水平状態になったときに上記係止部材に係合する係止鉤部を一端側に形成したブレ−スストッパ−と、ブレ−スストッパ−の係止鉤部が形成された一端側を上記係止部材に向けて常時付勢するバネ部材とからなるので、ロック機構のロックを解除する際に、ブレ−スストッパ−の操作部を押圧操作し、バネ部材の付勢力に抗して可動させれば、ブレ−スストッパ−の係止鉤部が係止部材から離れて両者の係合が解除されるため、ブレ−スストッパ−の操作部を操作しながら２つのブレ−ス本体を折り曲げれることにより、２つのブレ−ス本体を簡単に折り畳むことができ、操作性がよいという効果がある。
【００６６】
請求項４に記載の発明によれば、請求項３の効果に加え、上記ブレ−スのロック機構は、一方のハ−フブレ−ス本体の他端側に形成された相対向する一対の連結片の間に出入り自在な係止ピンと、一方のハ−フブレ−ス本体の他端側に設けられ、該係止ピンを可動させるブレ−スストッパ−と、他方のハ−フブレ−ス本体の他端側に設けられ、２つのハ−フブレ−ス本体が真直ぐ水平状態になったときに上記一対の連結片の間に入り込んでいる上記係止ピンに係合する係止鉤部が形成された回動片と、上記ブレ−スストッパ−を係止ピンが上記一対の連結片の間に入るよう常時付勢するバネ部材ばねとからなるので、ロック機構が殆ど２つのハ−フブレ−ス本体内に収納されているから、ブレ−スの幅が小さくて済み、見栄えもよく、スペ−スの無い場所に使いやすいという効果がある。
【００６７】
請求項５に記載の発明によれば、作業足場台の作業者の足場板部分となる天板部は可撓性を有しているので、天板部の両端に連結された一対の脚部の足場が多少傾斜していたり、多少の段差がある場合に、天板部が剛性であれば、作業足場台はガタつくが、天板部が可撓性のために撓んで変形することにより、作業足場台がガタつくのが防止されるという効果がある。
【図面の簡単な説明】
【図１】図１は本発明の実施の形態に係る作業足場台を例示する正面図である。
【図２】図２は同作業足場台を例示する側面図である。
【図３】図３は同作業足場台を例示する平面図である。
【図４】図４は図３のＡ−Ａ線断面図である。
【図５】図５は同作業足場台のロック機構により脚部伸縮時を例示する一部省略縦断面図である。
【図６】図６は同作業足場台のロック機構により脚部伸縮時を例示する一部省略横断面図である。
【図７】図７は同作業足場台のロック機構により脚部固定時を例示する一部省略縦断面図である。
【図８】図８は同作業足場台のロック機構により脚部固定時を例示する一部省略横断面図である。
【図９】図９は同作業足場台のもう一つのロック機構により脚部固定時を例示する一部省略縦断面図である。
【図１０】図１０は同作業足場台のさらにもう一つのロック機構により脚部固定時を例示する一部省略縦断面図である。
【図１１】図１１は同作業足場台のさらにもう一つのロック機構のカバ−を取り除いた状態を別の角度から例示する一部省略側面図である。
【図１２】図１２は同作業足場台のブレ−スをロック機構により水平にロックした状態を例示する一部省略側面図である。
【図１３】図１３は図１２のＢ−Ｂ線断面図である。
【図１４】図１４は同作業足場台のブレ−スをもう一つのロック機構により水平にロックした状態を例示する斜視図である。
【図１５】図１５は図１４の（ｂ）のＣ−Ｃ線断面図である。
【図１６】図１６は同作業足場台のブレ−スをさらにもう一つのロック機構により水平にロックした状態を例示する斜視図である。
【図１７】図１７は同作業足場台のブレ−スを折り曲げた状態を例示する斜視図である。
【図１８】図１８は同作業足場台のブレ−スをさらにもう一つのロック機構により水平にロックした状態を例示する断面図である。
【符号の説明】
１  天板部
２  脚部
４  外脚部材
５  内脚部材
６  ロック機構
１１ａ  ロック用貫通穴
１１ｂ  ロック用貫通穴
１２  ピン部材
１３  回動レバ−（駆動手段）
２０  伸長コイルスプリング（駆動手段）
【図１】
0003892121.tif 000002
【図２】
0003892121.tif 000003
【図３】
0003892121.tif 000004
【図４】
0003892121.tif 000005
【図５】
0003892121.tif 000006
【図６】
0003892121.tif 000007
【図７】
0003892121.tif 000008
【図８】
0003892121.tif 000009
【図９】
0003892121.tif 000010
【図１０】
0003892121.tif 000011
【図１１】
0003892121.tif 000012
【図１２】
0003892121.tif 000013
【図１３】
0003892121.tif 000014
【図１４】
0003892121.tif 000015
【図１５】
0003892121.tif 000016
【図１６】
0003892121.tif 000017
【図１７】
0003892121.tif 000018
【図１８】
0003892121.tif 000019